(57)【特許請求の範囲】
【請求項１】
少なくとも、第１の側と、前記第１の側に平行な第２の側と、前記第１の側と前記第２の側のそれぞれに垂直な第３の側を有する非磁性領域と、
前記非磁性領域の前記第１の側に沿って直接接触して配置される第１の固定領域と、
前記非磁性領域の前記第２の側に沿って直接接触して配置される第２の固定領域と、
前記非磁性領域の前記第３の側に沿って配置される自由領域と、
前記自由領域に沿って前記非磁性領域とは反対側に配置された上部電極と、
を備えることを特徴とするスピントルク伝達磁気ランダムアクセスメモリ（ＳＴＴ−ＭＲＡＭ）セル構造。
【請求項２】
少なくとも、第１の側と、前記第１の側に平行な第２の側と、前記第１の側と前記第２の側のそれぞれに垂直な第３の側を有する非磁性領域と、
前記非磁性領域の前記第１の側に沿って直接接触して配置される第１の固定領域と、
前記非磁性領域の前記第２の側に沿って直接接触して配置される第２の固定領域と、
前記非磁性領域の前記第３の側に沿って配置される自由領域と、
を備え、
前記自由領域を通って前記非磁性領域及び前記第１の固定領域へプログラミング電流が流れることにより、電子が前記第１の固定領域から前記非磁性領域及び前記自由領域を通って伝搬し、前記自由領域の磁化を前記第１の固定領域の磁化と平行にするよう切り替えるように、前記第１の固定領域が接地されるよう構成されることを特徴とするスピントルク伝達磁気ランダムアクセスメモリ（ＳＴＴ−ＭＲＡＭ）セル構造。
【請求項３】
前記自由領域を通って前記非磁性領域及び前記第２の固定領域へプログラミング電流が駆動されることにより、電子が前記第２の固定領域から前記非磁性領域及び前記自由領域を通って伝搬し、前記自由領域の磁化を前記第１の固定領域の磁化と反平行となるよう切り替えるように、前記第２の固定領域が接地されるよう構成されていることを特徴とする請求項２に記載のＳＴＴ−ＭＲＡＭセル構造。
【請求項４】
少なくとも、第１の側と、前記第１の側に平行な第２の側と、前記第１の側と前記第２の側のそれぞれに垂直な第３の側を有する非磁性領域と、
前記非磁性領域の前記第１の側に沿って直接接触して配置される第１の固定領域と、
前記非磁性領域の前記第２の側に沿って直接接触して配置される第２の固定領域と、
前記非磁性領域の前記第３の側に沿って配置される自由領域と、
前記自由領域と前記非磁性領域の間に配置されたトンネルバリアと、
を備えることを特徴とするスピントルク伝達磁気ランダムアクセスメモリ（ＳＴＴ−ＭＲＡＭ）セル構造。
【請求項５】
前記自由領域、前記第１の固定領域あるいは、前記第２の固定領域のいずれも、互いに直接接触していないことを特徴とする請求項１、２、４のいずれか１項に記載のＳＴＴ−ＭＲＡＭセル構造。
【請求項６】
前記第１の固定領域が前記非磁性領域と接触する第１の界面であって、前記第１の固定領域から前記第１の界面を通過する電子が、前記非磁性領域に蓄積し、前記通過する電子が、前記第１の固定領域の磁化にスピン偏極される、第１の界面と、
前記第２の固定領域が前記非磁性領域と接触する第２の界面であって、前記第２の固定領域から前記非磁性領域内に反射される電子が、前記非磁性領域に蓄積し、前記反射される電子が、前記第２の固定領域とは反対の磁化にスピン偏極され、前記通過する電子と、前記反射される電子は、実質的に同じ方向にスピン偏極される、第２の界面と、
を備えることを特徴とする請求項１、２、４のいずれか１項に記載のＳＴＴ−ＭＲＡＭセル構造。
【請求項７】
単一方向プログラミング電流でプログラムされるよう構成されたスピントルク伝達ランダムアクセスメモリ（ＳＴＴ−ＭＲＡＭ）セルであって、
第１の方向の磁化を有する第１の固定領域と、
第２の方向の磁化を有する第２の固定領域と、
前記第１の固定領域と前記第２の固定領域の間であって、それぞれに直接接触する非磁性領域と、
前記非磁性領域上に配置され、前記第１の固定領域の磁化に対し、平行あるいは反平行のいずれかの磁化を持つよう、単一方向プログラミング電流によって磁化を切り替えるように構成された自由領域と、
前記非磁性領域とは前記自由領域の反対側にある前記自由領域の上に配置された上部電極と、
を備えることを特徴とするＳＴＴ−ＭＲＡＭセル。
【請求項８】
前記上部電極の上に配置されたトランジスタを備えることを特徴とする請求項７に記載のＳＴＴ−ＭＲＡＭセル。
【請求項９】
単一方向プログラミング電流でプログラムされるよう構成されたスピントルク伝達ランダムアクセスメモリ（ＳＴＴ−ＭＲＡＭ）セルであって、
第１の方向の磁化を有する第１の固定領域と、
第２の方向の磁化を有する第２の固定領域と、
前記第１の固定領域と前記第２の固定領域の間であって、それぞれに直接接触する非磁性領域と、
前記非磁性領域上に配置され、前記第１の固定領域の磁化に対し、平行あるいは反平行のいずれかの磁化を持つよう、単一方向プログラミング電流によって磁化を切り替えるように構成された自由領域と、
を備え、
前記第１の固定領域と前記第２の固定領域は、それぞれ、前記ＳＴＴ−ＭＲＡＭセルの動作の間、接地されているか、浮遊電位となっているように構成されていることを特徴とするＳＴＴ−ＭＲＡＭセル。
【請求項１０】
前記自由領域は、プログラミング電流が前記非磁性領域に隣接した前記自由領域の第１の側から前記自由領域の第２の側へ流れるとき、磁化が切り替えられるように構成されていることを特徴とする請求項７又は９に記載のＳＴＴ−ＭＲＡＭセル。
【請求項１１】
対称プログラミング用に構成されたスピントルク伝達磁気ランダムアクセスメモリ（ＳＴＴ−ＭＲＡＭ）セルであって、
第１の磁化を有する第１の固定領域と、
第２の磁化を有する第２の固定領域と、
前記第１の固定領域と前記第２の固定領域間に直接配置された非磁性領域と、
前記非磁性領域の上に配置された自由領域であって、前記自由領域は、第１のプログラミング電流で、前記第１の磁化を有するように切り替えられ、あるいは、第２のプログラミング電流で、前記第２の磁化を有するように切り替えられるように構成され、前記第１のプログラミング電流の強度が、前記第２のプログラミング電流の強度と実質的に同様である、自由領域と、
を備え、
前記第１のプログラミング電流による切り替え中は、前記第１の固定領域が接地され、前記第２の固定領域が浮遊電位となるように、前記第２のプログラミング電流による切り替え中は、前記第２の固定領域が接地され、前記第１の固定領域が浮遊電位となるように構成されることを特徴とするＳＴＴ−ＭＲＡＭセル。
【請求項１２】
前記第１の固定領域、前記第２の固定領域及び前記自由領域は接触していないことを特徴とする請求項１１に記載のＳＴＴ−ＭＲＡＭセル。
【請求項１３】
前記第１の固定領域、前記第２の固定領域及び前記自由領域のそれぞれは、Co、 Fe、 Niあるいは、それらの合金、NiFe、 CoFe、 CoNiFe、 CoX、 CoFeX、 CoNiFeX (X= B, Cu, Re, Ru, Rh, Hf, Pd, Pt, C)、 Fe3O4、 CrO2、 NiMnSb 及び PtMnSb、 BiFeO、あるいは、これらの材料の任意の組み合わせからなることを特徴とする請求項１１に記載のＳＴＴ−ＭＲＡＭセル。
【請求項１４】
前記非磁性領域は、Cu、 Au、 Ta、 Ag、 CuPt、 CuMn、 AlxOy、 MgOx、 AlNx、 SiNx、 CaOx、 NiOx、 HfOx、 TaxOy、 ZrOx、 NiMnOx、 MgFx、 SiC、 SiOx、 SiOxNy、あるいは、これらの材料の任意の組み合わせからなることを特徴とする請求項１１に記載のＳＴＴ−ＭＲＡＭセル。
【請求項１５】
前記第１のプログラミング電流と前記第２のプログラミング電流の双方は、前記自由領域を一方向に伝搬する単一方向プログラミング電流であることを特徴とする請求項１１に記載のＳＴＴ−ＭＲＡＭセル。
【請求項１６】
セル構造を形成する方法であって、
基板に凹所を形成することと、
前記凹所内にトランジスタを形成することと、
前記凹所内で前記トランジスタの上に上部電極を形成することと、
前記凹所内で前記上部電極の上に自由領域を形成することと、
前記自由領域が非磁性領域の第１の側に接触するように、前記自由領域上に前記非磁性領域を形成することと、
第１の固定領域が、前記非磁性領域の第２の側に直接接触し、第２の固定領域が前記非磁性領域の第３の側に直接接触し、前記自由領域、前記第１の固定領域、あるいは、前記第２の固定領域はいずれも接触しないように、前記第１の固定領域と前記第２の固定領域を形成することと、
を含むことを特徴とする方法。
【請求項１７】
前記上部電極の上にスペーサ領域を形成することと、
前記スペーサ領域の内周内に前記自由領域を堆積することと、
を含むことを特徴とする請求項１６に記載の方法。
【請求項１８】
セル構造を形成する方法であって、
基板に凹所を形成することと、
前記凹所にトランジスタを形成することと、
前記凹所内で前記トランジスタ上に自由領域を形成することと、
前記自由領域が非磁性領域の第１の側に接触するように、前記自由領域上に前記非磁性領域を形成することと、
第１の固定領域が、前記非磁性領域の第２の側に直接接触し、第２の固定領域が前記非磁性領域の第３の側に直接接触し、前記自由領域、前記第１の固定領域、あるいは、前記第２の固定領域はいずれも接触しないように、前記第１の固定領域と前記第２の固定領域を形成することと、
前記第１の固定領域あるいは前記第２の固定領域のいずれかを接地するためのスイッチを結合することと、
を含むことを特徴とする方法。
【発明の詳細な説明】
【技術分野】
【０００１】
本発明の実施形態は、一般に、メモリに関し、特には、対称的かつ単一方向なプログラミングのために構成されたＳＴＴ−ＭＲＡＭセルに関する。
【背景技術】
【０００２】
本項は、以下に説明し、請求項に記載される本発明のさまざまな側面に関するだろう技術のさまざまな側面を読者に紹介することを意図している。本説明は、本発明のさまざまな側面をよりよく理解することを容易にするための背景情報を読者に提供するのに有効であると信じる。したがって、これらの説明は、この理解の下に読まれるべきで、従来技術の自認とは読まれるべきではないことを理解されたい。
【０００３】
磁気ランダムアクセスメモリ（ＭＲＡＭ）は、磁気抵抗に基づいた、不揮発性メモリの技術である。データを電荷として格納する典型的なランダムアクセスメモリ（ＲＡＭ）技術とは異なり、ＭＲＡＭデータは、磁気抵抗素子によって格納される。一般に、ＭＲＡＭセル内の磁気抵抗素子は、それぞれが磁化を有する２つの磁気領域から構成される。一領域（「固定領域」）の磁化は、磁気的方向が固定されており、他の領域（「自由領域」）の磁化は、プログラミング電流によって生成される外部磁場によって可変することが出来る。従って、プログラミング電流の磁場は、２つの磁気領域の磁気の方向を平行にして、ＭＲＡＭセルの磁気抵抗素子間に低い電気抵抗を発生させ（「０」状態）るか、反平行にして、磁気抵抗素子間に高い電気抵抗を発生させ（「１」状態）ることが出来る。自由領域の磁気の方向を切り替え、結果として得られる、磁気抵抗素子間の高い、あるいは、低い抵抗状態により、典型的なＭＲＡＭセルの書き込みと読み出し動作を提供することが出来る。
【０００４】
スピントルク伝達ＭＲＡＭ（ＳＴＴ−ＭＲＡＭ）セルは、磁気抵抗素子の磁化を変えることによりプログラムする他の種類のメモリセルである。ＳＴＴ−ＭＲＡＭセルは、自由領域と固定領域を含む磁気セルスタックを介して、プログラミング電流を流すことによって書き込まれる。プログラミング電流は、固定領域によって偏極されている。そして、スピン偏極電流は、自由領域にトルクを発生し、自由領域の磁化を切り替える。自由領域の磁化は、固定領域に対し、平行か、反平行にアラインメントでき、スタック間の抵抗を変える。
【０００５】
典型的には、双方向プログラミング電流は、自由領域の磁化を、固定領域の磁化に対し、平行から反平行へ、及び、反平行から平行へ変えるために用いられる。自由領域の磁化を、固定領域のそれに対し、平行から反平行に変えることにより、電子は、自由領域から固定領域に流れ、固定領域の磁化に対し、反対のスピンを持っている固定領域からの反射電子が、自由領域の磁化を切り替えるために用いられる。固定領域を流れるに従いスピン偏極を受ける電子に比べ、固定領域の磁化に対し反対のスピンを持っている、より少ない電子が、固定領域から反射されるだろう。従って、自由領域の磁化を、固定領域の磁化に対し、平行から反平行に変えることは、一般に、自由領域の磁化を、固定領域の磁化に対し、反平行から平行に変えるのよりも、大きなプログラミング電流を用いる（例えば、固定領域の磁化に対して、反対のスピンを有する反射電子の数を大きくするために）。セルのプログラミングのそのような非対称性は、ＳＴＴ−ＭＲＡＭセルの製造及び／あるいは動作において、さまざまな非効率性となる。
【図面の簡単な説明】
【０００６】
特定の実施形態が以下の説明において、図面を参照して説明される。
【０００７】
【図１】固定領域の磁化と平行な磁化を有するようにプログラムされた自由領域を有するＳＴＴ−ＭＲＡＭセル構造を示す図である。
【図２】固定領域の磁化と反平行な磁化を有するようにプログラムされた自由領域を有するＳＴＴ−ＭＲＡＭセル構造を示す図である。
【図３】図１及び２に示される、固定領域の磁化と平行及び反平行な磁化を有するように自由領域を切り替えるために使用されるプログラミング電流の評価値をプロットする図を示す。
【図４】本技術の実施形態に従った、基準の固定と自由領域間で平行磁化を有するようにプログラムされた対称プログラミングのために構成されたＳＴＴ−ＭＲＡＭセル構造の図である。
【図５】本技術の実施形態に従った、基準の固定と自由領域間で反平行磁化を有するようにプログラムされた対称プログラミングのために構成されたＳＴＴ−ＭＲＡＭセル構造の図である。
【図６】本技術の実施形態に従った、非磁性領域におけるスピン蓄積のために構成されたＳＴＴ−ＭＲＡＭ構造の図である。
【図７Ａ】本技術の実施形態に従った、対称プログラミングのために構成されたＳＴＴ−ＭＲＡＭセルを形成する技術のｘ方向及びｙ方向における一連の側面図を示す図である。
【図７Ｂ】本技術の実施形態に従った、対称プログラミングのために構成されたＳＴＴ−ＭＲＡＭセルを形成する技術のｘ方向及びｙ方向における一連の側面図を示す図である。
【図７Ｃ】本技術の実施形態に従った、対称プログラミングのために構成されたＳＴＴ−ＭＲＡＭセルを形成する技術のｘ方向及びｙ方向における一連の側面図を示す図である。
【図７Ｄ】本技術の実施形態に従った、対称プログラミングのために構成されたＳＴＴ−ＭＲＡＭセルを形成する技術のｘ方向及びｙ方向における一連の側面図を示す図である。
【図７Ｅ】本技術の実施形態に従った、対称プログラミングのために構成されたＳＴＴ−ＭＲＡＭセルを形成する技術のｘ方向及びｙ方向における一連の側面図を示す図である。
【図７Ｆ】本技術の実施形態に従った、対称プログラミングのために構成されたＳＴＴ−ＭＲＡＭセルを形成する技術のｘ方向及びｙ方向における一連の側面図を示す図である。
【図７Ｇ】本技術の実施形態に従った、対称プログラミングのために構成されたＳＴＴ−ＭＲＡＭセルを形成する技術のｘ方向及びｙ方向における一連の側面図を示す図である。
【図７Ｈ】本技術の実施形態に従った、対称プログラミングのために構成されたＳＴＴ−ＭＲＡＭセルを形成する技術のｘ方向及びｙ方向における一連の側面図を示す図である。
【図７Ｉ】本技術の実施形態に従った、対称プログラミングのために構成されたＳＴＴ−ＭＲＡＭセルを形成する技術のｘ方向及びｙ方向における一連の側面図を示す図である。
【図７Ｊ】本技術の実施形態に従った、対称プログラミングのために構成されたＳＴＴ−ＭＲＡＭセルを形成する技術のｘ方向及びｙ方向における一連の側面図を示す図である。
【図８】本技術の実施形態に従った、図７Ａ−７Ｅに示される技術を用いて形成されたＳＴＴ−ＭＲＡＭセル構造の図である。
【発明を実施するための形態】
【０００８】
磁気メモリセルは、典型的には、セル内の磁気抵抗を変化させることによってプログラミングされる。例えば、ここでは、セルと呼ぶ磁気メモリセルは、磁気材料の領域を含んでいるだろう。プログラミングの間、「自由領域」と呼ぶ、セルの一磁気領域は、磁化が切り替えられ、「固定領域」と呼ぶ、他の磁気領域は、磁化が固定されたままだろう。典型的には、自由領域の磁化は、固定領域の磁化に対し、平行か、反平行の２つの反対の方向間で切り替えられるだろう。自由及び固定領域の磁化が平行な場合、領域間の抵抗は小さく、自由及び固定領域の磁化が反平行の場合、領域間の抵抗は高いだろう。従って、磁気メモリセルは、自由領域の磁化を切り替えることにより、低い、あるいは、高い抵抗状態のいずれかにプログラムされるだろう。
【０００９】
そのような磁気メモリセルの一例は、スピントルク伝達磁気ランダムアクセスメモリ（ＳＴＴ−ＭＲＡＭ）セルである。セル構造と呼ぶ、ＳＴＴ−ＭＲＡＭセルのプログラム可能な構造をプログラムすることは、図１及び２に示されている。図１は、自由領域１４と固定領域１０の磁化が平行な、第１の状態にプログラムされたセル構造を示し、図２は、自由領域１４と固定領域１０の磁化が反平行な第２の状態にプログラムされたセル構造を示す図である。
【００１０】
典型的には、図１及び２に示されるもののようなセル構造をプログラムするために、双方向プログラミング電流を用いる。双方向プログラミング電流は、自由層１４の磁化を第１の方向に（例えば、固定層１０の磁化と平行に）切り替えるために第１の方向に自由層１４を介して印加され、自由層１４の磁化を第２の状態に（例えば、固定層１０の磁化に反平行に）切り替えるために第２の（例えば、反対の）方向に自由層１４を介して印加される、プログラム電流を示すだろう。
【００１１】
更に詳しくは、図１に示されるように、プログラミング電流Ｉｐ１６は、自由領域１４の右側から印加される。プログラミング電流１６の電子１８は、プログラミング電流１６の方向と反対方向に（すなわち、自由領域１４の左側から）伝搬するだろう。固定領域１０を通って流れる電子１８は、上方向に向いた矢印２０で示されるように、固定領域１０のスピン偏極を有するように、スピンが偏極される。固定領域１０のスピン偏極２０を有する電子１８は、非磁性領域１２を通って伝搬し、自由領域１４の磁化を、固定領域１０の磁化と平行な磁化を有するように（自由領域１４の上向きの矢印で示されるように）、切り替え、従って、セルを第１の状態にプログラムするだろう。
【００１２】
セルを第２の状態にプログラムするために、プログラミング電流１６が、図２に示されるように、自由領域１４の左側から印加されるだろう。プログラミング電流１６の電子１８は、プログラミング電流１６の方向と反対方向に（すなわち、自由領域１４の右側から）伝搬するだろう。電子１８は、自由領域１４と非磁性領域１２を通るだろう。自由領域１４と非磁性領域１２は、強い、固定された偏極を有しないので、電子１８は、固定領域１０に到達するまで、実質的に偏極されないままであろう。電子１８が固定領域１０に到達すると、ある電子１８は、固定領域１０によってスピン偏極を受け、固定領域１０から反射されるだろう。反射電子１８は、下向きの矢印２２で示される様に、固定領域１０のスピン偏極とは反対の反射スピン偏極２２を有しているだろう。固定領域１０の反対スピン偏極２２を有する反射電子は、非磁性領域１２を通って伝搬し、自由領域１４の磁化を、固定領域１０の磁化と反平行な（自由領域１４において、下向きの矢印でしめされているような）磁化を有するように、切り替え、従って、セルを第２の状態にプログラムするだろう。
【００１３】
図１及び２に示されるような、典型的なセル構成であって、同じ大きさのプログラミング電流を用いる場合、固定領域１０で反射されて、固定領域１０の磁化と反対のスピン偏極を有する電子１８の量は、固定領域１０を通って伝搬し、固定領域１０のスピン偏極を有する電子１８の量より少ないだろう。従って、自由領域１４の磁化を、固定領域１０の磁化に対し反平行から平行に切り替える為に用いられるプログラミング電流より、より大きなプログラミング電流が、自由領域１４の磁化を、固定領域１４の磁化に対し、平行から反平行に切り替える為に用いられるだろう。
【００１４】
図３のグラフ３０は、プロット３６で示されているように、自由領域１４の磁化を、固定領域１０の磁化に対し、反平行から平行に切り替える（第１の状態に切り替える、と呼ぶ）ための、セル構造直径範囲３２（ｎｍ）に渡るプログラミング電流（μＡ）３４と、プロット３８で示されるように、自由領域１４の磁化を、固定領域１０の磁化に対し、平行から反平行に切り替える（第２の状態に切り替える、と呼ぶ）ための、プログラミング電流の範囲をプロットする。グラフ３０で示されているように、第２の状態に切り替えるために使用されるプログラミング電流（プロット３６）は、第１の状態に切り替えるために使用されるプログラミング電流（プロット３６）よりもかなり大きい。
【００１５】
双方向プログラミング電流及び／あるいは、セルを第２の状態にプログラミングするための、より大きい電流強度を用いてＳＴＴ−ＭＲＡＭセルを動作することは、さまざまな非効率に帰させるだろう。双方向プログラミング電流でセルをプログラムすることは、単一方向動作に用いられる回路より効率が悪いだろう双方向動作が可能なセンスアンプを含むだろう。更に、双方向動作の可能な回路は、単一方向動作に用いられる回路より多くのシリコンのスペースを使用するだろう。第２の状態へセルをプログラミングするために、より大きい電流強度（セルを第１の状態にプログラミングする事に比べ）を用いることは、非対称プログラミングと呼ばれる。非対称プログラミングは、自由領域に高い電圧と低い電圧を印加することの切り替えが、自由層のレイテンシと擾乱を増大するので、セルの安定性を減少させるだろう。
【００１６】
本技術の１以上の実施形態は、単一方向プログラミング電流での対称プログラミングのために構成されたセル構造を含むＳＴＴ−ＭＲＡＭセルを含む。単一方向プログラミング電流は、自由領域の磁化を２つの異なる方向間で切り替えるために、単一方向に自由領域を通ってプログラミング電流を流すことによって、ＳＴＴ−ＭＲＡＭセル構造をプログラミングすることを示す。ある実施形態では、単一方向プログラミング電流は、自由層を通って一方向に印加され、セルを第１の状態にプログラムし、単一方向プログラミング電流は、自由層を通って同じ方向に印加され、セルを第２の状態にプログラムするだろう。対称プログラミングは、実質的に同様な電流強度を用いて、自由領域の磁化を２つの異なる方向のいずれかに切り替えることを示す。
【００１７】
対称的、単一方向プログラミングに適したＳＴＴ−ＭＲＡＭセル構造の実施形態が、図４及び５に示されている。図４は、自由領域１４の磁化が基準固定領域１０ａの磁化に対し平行な第１の状態にプログラムされたセル構造４０を示し、図５は、自由領域１４の磁化が基準固定領域１０ａの磁化に対し反平行な第２の状態にプログラムされたセル構造４０を示す。ここで用いられるように、基準固定領域１０ａは、ＳＴＴ−ＭＲＡＭセル構造のプログラムされた状態が、自由領域１４と、２つの固定領域１０の特定の基準固定領域１０ａとの間の抵抗によって決定される、２つの固定領域１０を有する実施形態を説明するために用いられるだろう。
【００１８】
図４及び５に示されるように、ある実施形態は、固定領域１０ａと１０ｂのそれぞれにおいて、反対向きの矢印によって示される、それぞれが互いに反対方向に固定された磁化を有する２つの固定領域１０ａと１０ｂを含むだろう。非磁性領域１２が、２つの固定領域１０ａと１０ｂ間に配置されるだろう。ある実施形態では、自由領域１４は、非磁性領域１２の上に配置され、上部電極４２は、自由領域１４の上に配置されるだろう。トンネルバリアが、ある実施形態において、自由領域１４と非磁性領域１２間に配置されるだろう。更に、自由領域１４は、誘電材料４４によって、固定領域１０ａと１０ｂから分離されるだろう。
【００１９】
ある実施形態では、固定領域１０ａと１０ｂ及び、自由領域１４は、同じ、あるいは、異なる材料を含んでいるだろう。例えば、固定及び自由領域１０及び１４は、Co、 Fe、 Niあるいは、それらの合金などの磁性材料あるいは、強磁性材料、NiFe、 CoFe、 CoNiFeあるいは、ドープされた合金CoX、 CoFeX、 CoNiFeX (X= B、 Cu、 Re、 Ru、 Rh、 Hf、 Pd、 Pt、 C)、あるいは、Fe3O4、 CrO2、 NiMnSb、 PtMnSb、 及び、 BiFeOなどの半金属強磁性材料、あるいは、上記材料の任意の組み合わせを含むだろう。
【００２０】
非磁性領域１２は、固定領域１０ａ、固定領域１０ｂ及び自由領域１４を相互に分離するのに適し、固定及び自由領域１０ａ、１０ｂ及び１４の磁化間の結合を実質的に防ぐのに適しているだろう。例えば、非磁性領域１２は、Cu、 Au、 Ta、 Ag、 CuPt、 CuMnなどの、導電性非磁性材料、AlxOy、 MgOx、 AlNx、 SiNx、 CaOx、 NiOx、 HfOx、 TaxOy、 ZrOx、 NiMnOx、 MgFx、 SiC、 SiOx、 SiOxNyなどの非導電性非磁性材料、あるいは、上記材料の任意の組み合わせを含むだろう。
【００２１】
本技術に従うと、セル構造４０は、単一方向プログラミング電流によってプログラムされるだろう。単一方向プログラミング電流は、自由領域１４を一方向に流れ、自由領域１４の磁化を、固定領域１０ａあるいは１０ｂの一つの磁化と平行あるいは反平行のいずれかに切り替えるだろう。
【００２２】
図４は、自由領域１４が、基準固定領域１０ａに平行な磁化を有するように、ＳＴＴ−ＭＲＡＭセル構造をプログラミングすることを図示する。ある実施形態においては、プログラミング電流（Ｉｐ）１６が、自由領域１４から非磁性領域１２そして、固定領域１０ａへの方向に印加される。プログラミング電流１６の電子１８は、固定領域１０ａから非磁性領域１２、自由領域１４そして、上部電極４２へのプログラミング電流１６の方向とは逆方向に伝搬するだろう。ある実施形態では、電子１８の経路は、セル構造が書き込まれるべき状態に従って、固定領域１０ａと１０ｂ及び上部電極４２の導電リードをバイアスすることによって制御されるだろう。例えば、図４に示されるように、セル構造４０を第１の状態に書き込むために、固定領域１０ａは接地され、一方、固定領域１０ｂは、非磁性領域１２と同じ電位に浮遊する、あるいは、バイアスされ、プログラミング電流１６の方向と、電子１８の伝搬は、固定領域１０ａ、非磁性領域１２及び自由領域１４間を流れるだろう（固定領域１０ｂは流れない）。ある実施形態では、固定領域１０ａと１０ｂのそれぞれは、セル構造４０のプログラミング状態に従って、接地され、あるいは、バイアスされるように、底部電極及び／あるいは、スイッチに結合されるだろう。
【００２３】
固定領域１０ａを通る電子１８は、上向きの矢印で示される、固定領域１０ａのスピン偏極を有するように、スピン偏極される。固定領域１０ａのスピン偏極２０ａを有する電子１８は、自由領域１４に向かって、非磁性領域１２内を伝搬し、自由領域１４の磁化を、基準固定領域１０ａの磁化に平行な（自由領域１４において、上向きの矢印で示されるように）磁化を有するように切り替え、セルを第１の状態にプログラミングするだろう。
【００２４】
図５は、自由領域１４が、基準固定領域１０ａと反平行で、固定領域１０ｂと平行な磁化を有するように、ＳＴＴ−ＭＲＡＭセル構造４０をプログラミングすることを示す。セルを第２の状態にプログラムするために、プログラミング電流１６が、自由領域１４から非磁性領域１２そして、固定領域１０ｂへの方向に印加されるだろう。プログラミング電流１６の電子１８は、固定領域１０ｂから、非磁性領域１２、自由領域１４そして、上部電極４２へのプログラミング電流１６の方向とは逆方向に伝搬するだろう。ある実施形態では、固定領域１０ｂは接地され、一方、固定領域１０ａは、非磁性領域１２と同じ電位に浮遊する、あるいは、バイアスされ、電子１８が、固定領域１０ｂ、非磁性領域１２、及び、自由領域１４間を流れる（固定領域１０ａは流れない）ようにするだろう。
【００２５】
固定領域１０ｂを通る電子１８は、下向きの矢印で示されている、固定領域１０ｂのスピン偏極２０ｂを有するようにスピン偏極される。固定領域１０ｂのスピン偏極２０を有する電子１８は、非磁性領域１２を通って、自由領域１４に伝搬し、自由領域１４の磁化を、基準固定領域１０ａの磁化と反平行な（自由領域１４において、下向きの矢印で示されるように）磁化を有するように切り替え、セルを第２の状態にプログラムするだろう。
【００２６】
ある実施形態においては、プログラミング電流１６が、セル構造のプログラミング状態に従って、固定領域１０ａあるいは１０ｂのいずれかに向けられ、一方、読み出し電流は、セル構造４０のプログラミング状態に関わらず、固定領域１０ａあるいは１０ｂの一つのみに向けられるだろう。従って、自由領域１４の切り替えられた磁化は、固定領域１０ａあるいは、固定領域１０ｂのいずれかの、一つの固定磁化に対して読み出されるだろう。図４及び５に示される実施形態においては、自由領域１４の磁化方向は、固定領域１０ａの固定磁化に対して読み出される。異なる実施形態においては、自由領域１４の磁化は、異なる固定磁化方向（例えば、固定領域１０ｂの磁化）に対しても読み出されるだろう。
【００２７】
１以上の実施形態は、また、図６に示されるように、プログラミングの間、セル構造４０の非磁性領域１２において、スピンフィルタ効果を発生することを含むだろう。スピンフィルタ効果は、強磁性材料と非磁性材料の界面を横切って流れる、スピン偏極された電子の振る舞い、及び／あるいは、非磁性材料と強磁性材料の界面で反射される、スピン偏極された電子の振る舞いを示すだろう。図６に示されるように、電子１８は、固定領域１０ａから、強磁性／非磁性界面４６を通り、非磁性領域１２への方向に伝搬しているだろう。電子１８は、固定領域１０ａの磁化にスピン偏極され、スピン偏極された電子は、非磁性領域１２に蓄積するだろう。電子１８は、また、非磁性／強磁性界面４８で反射され、固定領域１０ｂの磁化と反対方向にスピン偏極されるだろう。従って、非磁性／強磁性界面４８から反射される電子１８のスピン偏極は、また、固定領域１０ａによってスピン偏極された電子１８と同じ方向にスピン偏極されるだろう。固定領域１０ａの磁化の方向（図６の非磁性領域１２の上向きの矢印で示される）にスピン偏極された電子の蓄積は、自由領域１４の切り替えに更に影響を与えるだろう。ある実施形態においては、自由領域１４をプログラミングするために用いられるプログラミング電流１６は、非磁性領域１２におけるスピンフィルタ効果によって調整され、削減されるだろう。
【００２８】
図４−６に示されたセル構造４０を形成する処理が、図７Ａ−７Ｊに提供されている。処理ステップが、誘電材料５８内の３つのＳＴＴ−ＭＲＡＭセル構造４０の形成における中間構造の、ｘ方向からの側面図（50x、 60x、 66x、 68x、 及び 72xとラベル付けされている）、及び、ｙ方向からの対応する側面図（50y、 60y、 66y、 68y、及び72yとラベル付けされている）によって示されている。図７Ａ−７Ｊに示される処理は、説明する処理から任意の数のセルが形成できるが、処理の簡単のために、ｘ方向（例えば、セル構造の行のビュー）及びｙ方向（例えば、セル構造の列のビュー）のそれぞれにおいて、３つのセルの側面図が示されている。
【００２９】
処理は、ビュー５０ｘ及び５０ｙ（図７Ａ及び７Ｂ）に示されるように、基板５８に、トランジスタ５４とサイドゲート５６を形成することから始める。基板５８は、誘電性材料（誘電体５８とも呼ぶだろう）あるいは、異なるセル構造を分離するのに適した他の材料を含むだろう。ある実施形態では、フォトリソグラフィ及びドライエッチング処理が、基板５８に凹所を作るのに用いられるだろう。チタン窒化物(TiN)などの適切な金属が、凹所にサイドゲート５６を形成するために用いられ、Ｐ添加シリコン５４が、ビュー５０ｙに示されるように、２つのサイドゲート５６の間に配置、あるいは、形成され、基板５８の凹所にトランジスタ５４を形成するだろう。ある実施形態では、シリコン窒化物(SiN)などの犠牲材料５２が、ビュー５０ｘ及び５０ｙに示される構造を形成するためのエッチングマスクとして使用されるだろう。図７Ｃ及び７Ｄに示されるように、処理は、犠牲材料５２を除去し、トランジスタ５４の上にＮ添加シリコン６２を配置あるいは形成し、ビュー６０ｘ及び６０ｙに示されるように、Ｎ添加シリコン６２の上に、導電性材料６４（例えば、CoSi2 あるいは、任意の他の適切な金属性導電性材料）を配置し、形成することを含むだろう。Ｎ添加シリコン６２及び導電性材料６４は、垂直トランジスタ５４のドレインを形成するだろう。
【００３０】
上部電極４２が、図７Ｅ及び７Ｆのビュー６６ｘ及び６６ｙに示されるように、導電性材料６４上に形成されるだろう。上部電極４２は、TiN、 Wなどの適切な導電性金属を配置することによって形成されるだろう。ある実施形態においては、誘電体５８は、上部電極４２の上の凹所の側面に沿って配置されるだろう。誘電体５８は、誘電体５８の内周内に配置される材料の直径を削減するためのスペーサとして機能するだろう。ビュー６６ｘ及び６６ｙに示されるように、自由領域１４は、上部電極４２上であって、誘電体５８によって形成されるスペーサ内に形成され、非磁性材料１２は、自由領域１４上に配置されるだろう。
【００３１】
図７Ｇ及び７Ｈに示されているように、処理は、各セル構造の上に非磁性領域１２を形成することを含む。非磁性領域１２は、非磁性材料を配置し、非磁性領域１２のラインが、ビュー６８ｙに示されるように、セル構造の行の上に形成されるように、非磁性材料をラインにパターニングすることによって形成されるだろう。ビュー６８ｘに示されるように、固定領域１０ａ及び１０ｂは、各セル構造について、非磁性領域１２の一方の側に形成され、金属ストラップ７０が、固定領域１０ａ及び１０ｂのそれぞれの反対の側に形成されるだろう。固定領域１０ａ及び１０ｂの強磁性材料は、コンフォーマルディポジションによって形成され、スペーサエッチングあるいは、スペーサ形成処理がその後に行なわれるだろう。更に、金属ストラップ７０は、固定領域１０ａ及び１０ｂの抵抗を下げるように構成され、適切な導電性金属（例えば、TiN、 Wなど）を含むだろう。金属ストラップ７０は、また、固定領域１０ａ及び１０ｂの上にコンフォーマルディポジションで形成され、スペーサ形成処理がその後に続くだろう。非磁性領域１２の行は、図７Ｉ及び７Ｊのビュー７２ｘ及び７２ｙに示されるように、個別のセル構造４０を形成するためのクロスラインパターニングによってパターン化されるだろう。
【００３２】
図８は、図７Ａ−７Ｊに示された処理によって生成された、ＳＴＴ−ＭＲＡＭセル構造４０の拡大図を示す。図４−６及び図８は、対称プログラミング及び／あるいは、単一方向プログラミング電流によるプログラミングに適したＳＴＴ−ＭＲＡＭセル構造の１以上の実施形態を含む。図７Ａ−７Ｊは、セル構造４０を形成する１以上の実施形態を含む。本技術によれば、実施形態は、対称プログラミング及び／あるいは、単一方向プログラミングに適したセル構造４０の他の構成を含むだろう。更に、実施形態は、また、図７Ａ−７Ｊに示された処理の変形も含む。例えば、さまざまな種類の、マスキング、エッチング、及び／あるいは、ディポジション技術は、本技術に従ったセル構造４０の異なる領域を形成するのに適しているだろう。
【００３３】
図４−６及び８に示された実施形態は、磁化方向が、紙面に対しｚ方向を向いている（例えば、上向き及び下向き矢印）として記載されているが、本技術は、特定の磁化方向には限定されないことを注意されたい。ある実施形態では、自由領域１４と固定領域１０ａ及び１０ｂの磁化方向は、図４−６及び８に記載される磁化方向と比べて、異なる方向（例えば、ｘ方向あるいはｙ方向）であろう。そのような実施形態では、自由領域１４磁化方向は、固定領域１０ａ及び１０ｂの磁化方向と対応し、固定領域１０ａあるいは１０ｂに対し平行あるいは反平行にプログラムされ、メモリセルの異なるプログラム状態を示すだろう。
【００３４】
ここに使用されるように、セル構造４０及び／あるいは、セル構造４０を形成する技術（例えば、図７Ａ−７Ｊ）を説明する場合、「上に」、「下に」、「上に形成」、「下に形成」、「上に配置」、あるいは、「下に配置」などの語句は、説明された構成あるいは処理の一つの可能な方向を示しているに過ぎず、本実施形態を特定の方向に限定するものではない。例えば、図４−６に示されたセル構造４０は、図８に示されたセル構造４０と比べると、ひっくり返った方向（例えば、ｘ方向に沿って）を有するだろう。
【００３５】
更に、ここに使用されるように、領域が、他の領域の「上に形成」、「下に形成」、「上に配置」、「下に配置」あるいは「配置」といわれる場合には、これらの領域の間に、形成あるいは配置された中間領域があるだろう。例えば、ある実施形態では、自由領域１４は、非磁性領域１２上に配置され、トンネルバリア１５は、自由領域１４と非磁性領域１２の間に配置されるだろう。逆に、層あるいは材料が、「直接上に形成」、「直接下に形成」、「直接上に配置」、「直接下に配置」、「直接沿って配置」、「直接接触」、あるいは、「くっつく」といわれる場合には、材料あるいは、層は、それらの間に、中間の材料あるいは層を有しない。
【００３６】
本発明は、さまざまな変形及び別の形態を受け入れるが、特定の実施形態が、例示として、図面に示され、ここに詳細に説明された。しかし、本発明は、開示された特定の形態に限定することを意図しないことを理解されたい。むしろ、本発明は、以下の請求項で規定される本発明の精神と範囲内に入る、全ての変形、均等物、代替物を含むべきである。
【図１】
0006034862.tif 000002
【図２】
0006034862.tif 000003
【図３】
0006034862.tif 000004
【図４】
0006034862.tif 000005
【図５】
0006034862.tif 000006
【図６】
0006034862.tif 000007
【図７Ａ】
0006034862.tif 000008
【図７Ｂ】
0006034862.tif 000009
【図７Ｃ】
0006034862.tif 000010
【図７Ｄ】
0006034862.tif 000011
【図７Ｅ】
0006034862.tif 000012
【図７Ｆ】
0006034862.tif 000013
【図７Ｇ】
0006034862.tif 000014
【図７Ｈ】
0006034862.tif 000015
【図７Ｉ】
0006034862.tif 000016
【図７Ｊ】
0006034862.tif 000017
【図８】
0006034862.tif 000018